(57)【要約】【課題】  操作者が必要なときに必要な時間だけ簡易な操作で撮影装置に組み込まれた表示部の表示を明るくする。【解決手段】  撮影モード時には撮影に用いられない印刷ボタン３３を操作したときに、再生モード時には再生に用いられていないボタンを操作したときに、液晶ディスプレイ３１の明るさが印刷ボタン３３の操作を継続している時間に応じた明るさとなるようバックライト３１ａの電源回路５０ａを調整し、その後同じボタンが操作されたときに液晶ディスプレイ３１の明るさを元に戻す。これにより、必要なときに必要な時間だけ液晶ディスプレイ３１を必要な明るさにすることができる。【選択図】図３
2007259502.tif 000002
【特許請求の範囲】
【請求項１】
画像を撮影する撮影装置であって、
撮影した画像を記憶可能な記憶手段と、
画像を表示可能な表示手段と、
操作者による操作に基づいて画像を撮影すると共に該撮影した画像を前記記憶手段に記憶させる撮影実行手段と、
操作者による所定ボタンの操作がなされたとき、前記表示手段における表示の明るさを明るくする明表示を実行する明表示制御手段と、
を備える撮影装置。
【請求項２】
前記明表示制御手段は、前記明表示を実行している最中に前記所定ボタンの操作がなされたとき、該明表示を停止する手段である請求項１記載の撮影装置。
【請求項３】
前記明表示制御手段は、前記所定ボタンの操作がなされたときには所定時間に亘って前記明表示を実行する手段である請求項１記載の撮影装置。
【請求項４】
請求項２または３記載の撮影装置であって、
前記表示手段は、複数段階に表示の明るさを変更可能な手段であり、
前記明表示制御手段は、前記所定ボタンの操作時間が長いほど前記表示手段における表示の明るさが明るくなるよう制御する手段である
撮影装置。
【請求項５】
前記明表示制御手段は、前記所定ボタンの操作に基づく時間に亘って前記明表示を実行する手段である請求項１記載の撮影装置。
【請求項６】
請求項５記載の撮影装置であって、
前記記憶手段に記憶された画像を前記表示手段に表示する再生モードと前記撮影実行手段により撮影を行なう撮影モードとを含む複数のモードから操作者の操作に基づいてモードを設定するモード設定手段を備え、
前記明表示制御手段は、前記モード設定手段により設定されたモードに基づいて前記明表示を実行する手段である
撮影装置。
【請求項７】
前記明表示制御手段は、前記モード設定手段により再生モードが設定されているときには、前記所定ボタンの操作が継続している時間に亘って前記明表示を実行する手段である請求項６記載の撮影装置。
【請求項８】
請求項６または７記載の撮影装置であって、
前記所定ボタンは、シャッターボタンを一つとして含み、
前記明表示制御手段は、前記モード設定手段により撮影モードが設定されているときには、前記シャッターボタンの操作が継続している時間を少なくとも含む時間に亘って前記明表示を実行する手段である
撮影装置。
【請求項９】
請求項８記載の撮影装置であって、
前記シャッターボタンへの接触を感知する接触感知手段を備え、
前記明表示制御手段は、前記接触感知手段により前記シャッターボタンへの接触を感知している時間を少なくとも含む時間に亘って前記明表示を実行する手段である
撮影装置。
【請求項１０】
請求項８または９記載の撮影装置であって、
広角および望遠を指示する広角望遠指示ボタンを備え、
前記撮影実行手段は、広角望遠指示ボタンの指示に基づいて被写体を広角および望遠して撮影する手段であり、
前記所定ボタンは、前記広角望遠指示ボタンを一つとして含み、
前記明表示制御手段は、前記広角望遠指示ボタンが操作されている時間を少なくとも含む時間に亘って前記明表示を実行する手段である
撮影装置。
【請求項１１】
前記明表示制御手段による明表示を実行するか否かを設定する明表示実行設定手段を備える請求項１ないし１０いずれか記載の撮影装置。
【請求項１２】
請求項１ないし１１いずれか記載の撮影装置であって、
前記表示手段は、段階的に表示の明るさを変更可能な手段であり、
更に、前記明表示制御手段による明表示の実行の際の前記表示手段の表示の明るさを設定する明表示程度設定手段を備える
撮影装置。
【請求項１３】
前記撮影装置はデジタルカメラである請求項１ないし１２いずれか記載の撮影装置。
【請求項１４】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
（ａ）操作者による所定ボタンの操作がなされたときに前記表示手段における表示の明るさが明るい明表示となるよう該表示手段を制御し、
（ｂ）前記明表示となるよう前記表示手段を制御している最中に前記所定ボタンの操作がなされたときに該明表示を停止するよう前記表示手段を制御する
撮影装置の制御方法。
【請求項１５】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
操作者による所定ボタンの操作がなされたときに所定時間に亘って前記表示手段における表示の明るさが明るくなるよう該表示手段を制御する
撮影装置の制御方法。
【請求項１６】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
（ａ）前記記憶手段に記憶された画像を前記表示手段に表示する再生モードと前記撮影実行手段により撮影を行なう撮影モードとを含む複数のモードから操作者の操作に基づいてモードを設定し、
（ｂ）前記モード設定手段により再生モードが設定されている状態で操作者による所定ボタンの操作がなされたとき、該所定ボタンの操作が継続している時間に亘って前記表示手段における表示の明るさが明るくなるよう該表示手段を制御する
撮影装置の制御方法。
【請求項１７】
撮影した画像を記憶可能な記憶手段と、画像を表示可能な表示手段と、操作者による操作に基づいて画像を撮影すると共に該撮影した画像を前記記憶手段に記憶させる撮影実行
手段と、を備える撮影装置の処理方法であって、
（ａ）前記記憶手段に記憶された画像を前記表示手段に表示する再生モードと前記撮影実行手段により撮影を行なう撮影モードとを含む複数のモードから操作者の操作に基づいてモードを設定し、
（ｂ）前記モード設定手段により撮影モードが設定されている状態で操作者によるシャッターボタンの操作がなされたとき、該シャッターボタンの操作が継続している時間を少なくとも含む時間に亘って前記表示手段における表示の明るさが明るくなるよう該表示手段を制御する
撮影装置の制御方法。
【請求項１８】
請求項１７記載の撮影装置の制御方法であって、
前記撮影装置は、広角および望遠を指示する広角望遠指示ボタンを備え、
前記撮影実行手段は、広角望遠指示ボタンの指示に基づいて被写体を広角および望遠して撮影する手段であり、
更に、
（ｃ）前記モード設定手段により撮影モードが設定されている状態で操作者による広角望遠指示ボタンの操作がなされたとき、該広角望遠指示ボタンの操作が継続している時間を少なくとも含む時間に亘って前記表示手段における表示の明るさが明るくなるよう該表示手段を制御するステップ
を備える撮影装置の制御方法。
【請求項１９】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）操作者による所定ボタンの操作がなされたときに前記表示手段における表示の明るさが明るい明表示となるよう該表示手段を制御するモジュールと、
（ｂ）前記明表示となるよう前記表示手段を制御している最中に前記所定ボタンの操作がなされたときに該明表示を停止するよう前記表示手段を制御するモジュールと
を備えるプログラム。
【請求項２０】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
操作者による所定ボタンの操作がなされたときには所定時間に亘って前記表示手段における表示の明るさが明るくなるよう該表示手段を制御するモジュール
を備えるプログラム。
【請求項２１】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）前記記憶手段に記憶された画像を前記表示手段に表示する再生モードと前記撮影実行手段により撮影を行なう撮影モードとを含む複数のモードから操作者の操作に基づいてモードを設定するモジュールと、
（ｂ）前記モード設定手段により再生モードが設定されている状態で操作者による所定ボタンの操作がなされたとき、該所定ボタンの操作が継続している時間に亘って前記表示手段における表示の明るさが明るくなるよう該表示手段を制御するモジュールと
を備えるプログラム。
【請求項２２】
撮影した画像を記憶可能な記憶手段と、画像を表示可能な表示手段と、操作者による操作に基づいて画像を撮影すると共に該撮影した画像を前記記憶手段に記憶させる撮影実行
手段と、を備える撮影装置に用いられるプログラムであって、
（ａ）前記記憶手段に記憶された画像を前記表示手段に表示する再生モードと前記撮影実行手段により撮影を行なう撮影モードとを含む複数のモードから操作者の操作に基づいてモードを設定するモジュールと、
（ｂ）前記モード設定手段により撮影モードが設定されている状態で操作者によるシャッターボタンの操作がなされたとき、該シャッターボタンの操作が継続している時間を少なくとも含む時間に亘って前記表示手段における表示の明るさが明るくなるよう該表示手段を制御するモジュールと
を備えるプログラム。
【請求項２３】
請求項２２記載のプログラムであって、
前記撮影装置は、広角および望遠を指示する広角望遠指示ボタンを備え、
前記撮影実行手段は、広角望遠指示ボタンの指示に基づいて被写体を広角および望遠して撮影する手段であり、
更に、
（ｃ）前記モード設定手段により撮影モードが設定されている状態で操作者による広角望遠指示ボタンの操作がなされたとき、該広角望遠指示ボタンの操作が継続している時間を少なくとも含む時間に亘って前記表示手段における表示の明るさが明るくなるよう該表示手段を制御するモジュール
を備えるプログラム。
【発明の詳細な説明】
【技術分野】
【０００１】
本発明は、撮影装置およびその制御方法並びに撮影装置用のプログラムに関する。
【背景技術】
【０００２】
従来この種の撮影装置としては、液晶ディスプレイの背後のバックライト部に外光を取り入れて液晶ディスプレイの明るさを明るくするデジタルカメラが提案されている（例えば、特許文献１参照）。このカメラでは、外光を取り入れたり遮断する蓋を開け閉めすることにより、外光を液晶ディスプレイのバックライト部に導いてその明るさ調節を行なっている。
【０００３】
また、機能を設定するメニューを液晶モニタに表示させて液晶モニタの明るさを調整したり、節電設定として設定した時間に亘って何ら操作がなされていないときに液晶モニタを消灯するデジタルカメラも提案されている（例えば、非特許文献１参照）。このカメラでは、モードダイヤルによりセットアップモードを選択することによりセットアップ可能なメニューを液晶モニタに表示し、メニューの「液晶明るさ」で液晶モニタの明るさを８段階に調節することができる。また、このメニューの「節電設定」で液晶モニタを消灯するまでの時間を「１分」，「３分」，「５分］，「２０分」から選択して設定することができる。
【特許文献１】特開２０００−１１５６００号公報
【非特許文献１】「Ｃａｌａｒｉｏ  ＰｈｏｔｏＰＣ  Ｌｉｎｋ  Ｌ−４００  ユーザーズガイド」，セイコーエプソン株式会社，２００３年５月，ｐ．６８−７０
【発明の開示】
【発明が解決しようとする課題】
【０００４】
しかしながら、外光をバックライト部に導くことにより液晶ディスプレイの明るさを調節する装置では、外光を導く必要性から、装置が機構的に大型化したり複雑化してしまう。また、液晶モニタの明るさをメニューにより行なう装置では、モードダイヤルによりセットアップモードを選択すると共にメニューから「液晶明るさ」や「節電設定」などを選択して液晶モニタの明るさや何ら操作がされなくなってから液晶モニタを消灯するまでの時間を設定しなければならず、操作者が必要なときにワンタッチで液晶モニタを点灯したり消灯したりすることができない。
【０００５】
本発明の撮影装置およびその制御方法は、操作者が必要なときに必要な時間だけ簡易な操作で撮影装置に組み込まれた表示部の表示を明るくすることを目的の一つとする。また、本発明の撮影装置およびその制御方法は、特別な操作なしに操作者が必要なときに必要な時間だけ撮影装置に組み込まれた表示部の表示を明るくすることを目的の一つとする。さらに、本発明の撮影装置およびその制御方法は、撮影装置のエネルギ効率を向上させることを目的の一つとする。本発明の撮影装置用のプログラムは、撮影装置を、操作者が必要なときに必要な時間だけ簡易な操作で撮影装置に組み込まれた表示部の表示を明るくすることができるようにすることを目的の一つとする。また、本発明の撮影装置用のプログラムは、撮影装置を、特別な操作なしに操作者が必要なときに必要な時間だけ撮影装置に組み込まれた表示部の表示を明るくすることができるようにすることを目的の一つとする。
【課題を解決するための手段】
【０００６】
本発明の撮影装置およびその制御方法並びに撮影装置用のプログラムは、上述の目的の少なくとも一部を達成するために以下の手段を採った。
【０００７】
本発明の撮影装置は、
画像を撮影する撮影装置であって、
撮影した画像を記憶可能な記憶手段と、
画像を表示可能な表示手段と、
操作者による操作に基づいて画像を撮影すると共に該撮影した画像を前記記憶手段に記憶させる撮影実行手段と、
操作者による所定ボタンの操作がなされたとき、前記表示手段における表示の明るさを明るくする明表示を実行する明表示制御手段と、
を備えることを要旨とする。
【０００８】
この本発明の撮影装置では、操作者による所定ボタンの操作がなされたときに、画像を表示可能な表示手段における表示の明るさを明るくする明表示を実行する。この結果、操作者は所定ボタンを操作するだけで、表示手段の表示を明るくすることができる。即ち、操作者が必要なときにだけ簡易な操作で撮影装置の表示手段の表示を明るくすることができる。これにより、装置のエネルギ効率を向上させることができる。ここで、撮影装置としては、デジタルカメラを挙げることができる。
【０００９】
こうした本発明の撮影装置において、前記明表示制御手段は、前記明表示を実行している最中に前記所定ボタンの操作がなされたとき、該明表示を停止する手段であるものとすることもできる。こうすれば、操作者は表示手段の表示の明るさが必要なくなったときに所定ボタンを操作するだけで、表示手段の表示の明るさを明るくする明表示を終了することができる。即ち、操作者が必要なときに必要な時間だけ簡易な操作で撮影装置の表示手段の表示を明るくすることができるのである。
【００１０】
また、本発明の撮影装置において、前記明表示制御手段は、前記所定ボタンの操作がなされたときには所定時間に亘って前記明表示を実行する手段であるものとすることもできる。こうすれば、所定ボタンの操作から所定時間経過したときに自動的に明表示を終了することができる。
【００１１】
これら所定ボタンの操作により明表示を終了する態様や所定ボタンの操作から所定時間経過したときに明表示を終了する態様の本発明の撮影装置において、前記表示手段は複数段階に表示の明るさを変更可能な手段であり、前記明表示制御手段は前記所定ボタンの操作時間が長いほど前記表示手段における表示の明るさが明るくなるよう制御する手段であるものとすることもできる。こうすれば、簡易に表示手段の明るさの調整を行なうことができる。
【００１２】
本発明の撮影装置において、前記明表示制御手段は、前記所定ボタンの操作に基づく時間に亘って前記明表示を実行する手段であるものとすることもできる。こうすれば、所定ボタンの操作に基づく時間に亘って明表示を行なうことができる。この場合、前記記憶手段に記憶された画像を前記表示手段に表示する再生モードと前記撮影実行手段により撮影を行なう撮影モードとを含む複数のモードから操作者の操作に基づいてモードを設定するモード設定手段を備え、前記明表示制御手段は前記モード設定手段により設定されたモードに基づいて前記明表示を実行する手段であるものとすることもできる。こうすれば、モードに基づいて明表示を行なうことができる。
【００１３】
このモードに基づいて明表示を行なう態様の本発明の撮影装置において、前記明表示制御手段は、前記モード設定手段により再生モードが設定されているときには、前記所定ボタンの操作が継続している時間に亘って前記明表示を実行する手段であるものとすることもできる。こうすれば、見たい画像を表示手段に表示しているときにだけ所定ボタンを操
作することにより、その画像を明るく表示させることができる。しかも、所定ボタンの操作が継続している時間に亘って明表示するから、所定ボタンの操作を終了することにより明表示を自動的に終了することができる。
【００１４】
また、モードに基づいて明表示を行なう態様の本発明の撮影装置において、前記所定ボタンはシャッターボタンを一つとして含み、前記明表示制御手段は前記モード設定手段により撮影モードが設定されているときには前記シャッターボタンの操作が継続している時間を少なくとも含む時間に亘って前記明表示を実行する手段であるものとすることもできる。通常、撮影モードでシャッターボタンを操作しているときには表示手段には撮影しようとしている被写体が表示されるから、シャッターボタンの操作により自動的に撮影しようとしている被写体の表示手段による表示を明るくすることができる。即ち、シャッターボタンの操作だけで、その他の特別な操作なしに、表示手段の表示を明るくすることができる。ここで、「シャッターボタンの操作が継続している時間を少なくとも含む時間」とは、シャッターボタンの操作が継続している時間としてもよく、この時間を含むより長い時間、例えば、シャッターボタンの操作を終了してから所定時間経過するまでの時間としてもよい。この態様の本発明の撮影装置において、前記シャッターボタンへの接触を感知する接触感知手段を備え、前記明表示制御手段は前記接触感知手段により前記シャッターボタンへの接触を感知している時間を少なくとも含む時間に亘って前記明表示を実行する手段であるものとすることもできる。また、これらの態様の本発明の撮影装置において、広角および望遠を指示する広角望遠指示ボタンを備え、前記撮影実行手段は広角望遠指示ボタンの指示に基づいて被写体を広角および望遠して撮影する手段であり、前記所定ボタンは前記広角望遠指示ボタンを一つとして含み、前記明表示制御手段は前記広角望遠指示ボタンが操作されている時間を少なくとも含む時間に亘って前記明表示を実行する手段であるものとすることもできる。通常、広角望遠指示ボタンを操作するときにはその程度を確認するために表示手段による被写体の表示が要求されるから、広角望遠指示ボタンの操作により自動的に被写体の表示手段による表示を明るくすることができる。即ち、広角望遠指示ボタンの操作だけで、その他の特別な操作なしに、表示手段の表示を明るくすることができる。
【００１５】
本発明の撮影装置において、前記明表示制御手段による明表示を実行するか否かを設定する明表示実行設定手段を備えるものとすることもできる。こうすれば、こうした明表示の実行を行なうか行なわないかを自由に設定することができる。
【００１６】
本発明の撮影装置において、前記表示手段は段階的に表示の明るさを変更可能な手段であり、更に、前記明表示制御手段による明表示の実行の際の前記表示手段の表示の明るさを設定する明表示程度設定手段を備えるものとすることもできる。こうすれば、明表示の際の明るさを予め設定しておくことができる。
【００１７】
本発明の第１の撮影装置の制御方法は、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
（ａ）操作者による所定ボタンの操作がなされたときに前記表示手段における表示の明るさが明るい明表示となるよう該表示手段を制御し、
（ｂ）前記明表示となるよう前記表示手段を制御している最中に前記所定ボタンの操作がなされたときに該明表示を停止するよう前記表示手段を制御する
ことを要旨とする。
【００１８】
この本発明の第１の撮影装置の制御方法によれば、操作者による所定ボタンの操作がなされたときに表示手段における表示の明るさが明るい明表示となるよう表示手段を制御し
、明表示となるよう表示手段を制御している最中に所定ボタンの操作がなされたときにこの明表示を停止するよう表示手段を制御するから、操作者が必要なときに必要な時間だけ簡易な操作で表示手段の表示を明るくすることができる。これにより、装置のエネルギ効率を向上させることができる。
【００１９】
本発明の第２の撮影装置の制御方法は、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
操作者による所定ボタンの操作がなされたときに所定時間に亘って前記表示手段における表示の明るさが明るくなるよう該表示手段を制御する
ことを要旨とする。
【００２０】
この本発明の第２の撮影装置の制御方法によれば、操作者による所定ボタンの操作がなされたときに所定時間に亘って表示手段における表示の明るさが明るくなるよう表示手段を制御するから、操作者が必要なときに簡易な操作で表示手段の表示を明るくすることができると共に所定時間経過したときに自動的に表示手段の表示の明るさを元に戻すことができる。これにより、装置のエネルギ効率を向上させることができる。
【００２１】
本発明の第３の撮影装置の制御方法は、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
（ａ）前記記憶手段に記憶された画像を前記表示手段に表示する再生モードと前記撮影実行手段により撮影を行なう撮影モードとを含む複数のモードから操作者の操作に基づいてモードを設定し、
（ｂ）前記モード設定手段により再生モードが設定されている状態で操作者による所定ボタンの操作がなされたとき、該所定ボタンの操作が継続している時間に亘って前記表示手段における表示の明るさが明るくなるよう該表示手段を制御する
ことを要旨とする。
【００２２】
この本発明の第３の撮影装置の制御方法によれば、再生モードが設定されている状態で操作者による所定ボタンの操作がなされたときに、所定ボタンの操作が継続している時間に亘って表示手段における表示の明るさが明るくなるよう表示手段を制御するから、見たい画像を表示手段に表示しているときにだけ所定ボタンを操作することによりその画像を明るく表示させることができる。しかも、所定ボタンの操作が継続している時間に亘って明るく表示させるから、所定ボタンの操作を終了することにより自動的に表示手段の表示の明るさを元に戻すことができる。
【００２３】
本発明の第４の撮影装置の制御方法は、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の処理方法であって、
（ａ）前記記憶手段に記憶された画像を前記表示手段に表示する再生モードと前記撮影実行手段により撮影を行なう撮影モードとを含む複数のモードから操作者の操作に基づいてモードを設定し、
（ｂ）前記モード設定手段により撮影モードが設定されている状態で操作者によるシャッターボタンの操作がなされたとき、該シャッターボタンの操作が継続している時間を少なくとも含む時間に亘って前記表示手段における表示の明るさが明るくなるよう該表示手段を制御する
ことを要旨とする。
【００２４】
この本発明の第４の撮影装置の制御方法によれば、撮影モードが設定されている状態で操作者によるシャッターボタンの操作がなされたときに、シャッターボタンの操作が継続している時間を少なくとも含む時間に亘って表示手段における表示の明るさが明るくなるよう表示手段を制御するから、シャッターボタンの操作だけで、その他の特別な操作なしに、撮影しようとしている被写体の表示手段による表示を明るくすることができる。
【００２５】
こうした本発明の第４の撮影装置の制御方法において、前記撮影装置は広角および望遠を指示する広角望遠指示ボタンを備え、前記撮影実行手段は広角望遠指示ボタンの指示に基づいて被写体を広角および望遠して撮影する手段であり、更に、（ｃ）前記モード設定手段により撮影モードが設定されている状態で操作者による広角望遠指示ボタンの操作がなされたとき、該広角望遠指示ボタンの操作が継続している時間を少なくとも含む時間に亘って前記表示手段における表示の明るさが明るくなるよう該表示手段を制御するステップを備えるものとすることもできる。こうすれば、広角望遠指示ボタンの操作だけで、その他の特別な操作なしに、被写体の表示手段による表示を明るくすることができる。
【００２６】
本発明の第１の撮影装置用のプログラムは、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）操作者による所定ボタンの操作がなされたときに前記表示手段における表示の明るさが明るい明表示となるよう該表示手段を制御するモジュールと、
（ｂ）前記明表示となるよう前記表示手段を制御している最中に前記所定ボタンの操作がなされたときに該明表示を停止するよう前記表示手段を制御するモジュールと
を備えることを要旨とする。
【００２７】
この本発明の第１の撮影装置用のプログラムでは、撮影装置にインストールされることにより、撮影装置を、操作者による所定ボタンの操作がなされたときに表示手段における表示の明るさが明るい明表示となるよう表示手段を制御し、明表示となるよう表示手段を制御している最中に所定ボタンの操作がなされたときにこの明表示を停止するよう表示手段を制御する装置として機能させることができる。この結果、撮影装置を、操作者が必要なときに必要な時間だけ簡易な操作で表示手段の表示を明るくすることができる装置とすることができる。
【００２８】
本発明の第２の撮影装置用のプログラムは、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
操作者による所定ボタンの操作がなされたときには所定時間に亘って前記表示手段における表示の明るさが明るくなるよう該表示手段を制御するモジュール
を備えることを要旨とする。
【００２９】
この本発明の第２の撮影装置用のプログラムでは、撮影装置にインストールされることにより、撮影装置を、操作者による所定ボタンの操作がなされたときに所定時間に亘って表示手段における表示の明るさが明るくなるよう表示手段を制御する装置として機能させることができる。この結果、撮影装置を、操作者が必要なときに簡易な操作で表示手段の表示を明るくすることができると共に所定時間経過したときに自動的に表示手段の表示の明るさを元に戻すことができる装置とすることができる。
【００３０】
本発明の第３の撮影装置用のプログラムは、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）前記記憶手段に記憶された画像を前記表示手段に表示する再生モードと前記撮影実行手段により撮影を行なう撮影モードとを含む複数のモードから操作者の操作に基づいてモードを設定するモジュールと、
（ｂ）前記モード設定手段により再生モードが設定されている状態で操作者による所定ボタンの操作がなされたとき、該所定ボタンの操作が継続している時間に亘って前記表示手段における表示の明るさが明るくなるよう該表示手段を制御するモジュールと
を備えることを要旨とする。
【００３１】
この本発明の第３の撮影装置用のプログラムでは、撮影装置にインストールされることにより、撮影装置を、再生モードが設定されている状態で操作者による所定ボタンの操作がなされたときに所定ボタンの操作が継続している時間に亘って表示手段における表示の明るさが明るくなるよう表示手段を制御する装置として機能させることができる。この結果、撮影装置を、見たい画像を表示手段に表示しているときにだけ所定ボタンを操作することによりその画像を明るく表示させることができる装置とすることができると共に所定ボタンの操作を終了することにより自動的に表示手段の表示の明るさを元に戻すことができる装置とすることができる。
【００３２】
本発明の第４の撮影装置用のプログラムは、
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）前記記憶手段に記憶された画像を前記表示手段に表示する再生モードと前記撮影実行手段により撮影を行なう撮影モードとを含む複数のモードから操作者の操作に基づいてモードを設定するモジュールと、
（ｂ）前記モード設定手段により撮影モードが設定されている状態で操作者によるシャッターボタンの操作がなされたとき、該シャッターボタンの操作が継続している時間を少なくとも含む時間に亘って前記表示手段における表示の明るさが明るくなるよう該表示手段を制御するモジュールと
を備えることを要旨とする。
【００３３】
この本発明の第４の撮影装置用のプログラムでは、撮影装置にインストールされることにより、撮影装置を、撮影モードが設定されている状態で操作者によるシャッターボタンの操作がなされたときに、シャッターボタンの操作が継続している時間を少なくとも含む時間に亘って表示手段における表示の明るさが明るくなるよう表示手段を制御する装置として機能させることができる。この結果、撮影装置を、シャッターボタンの操作だけで、その他の特別な操作なしに、撮影しようとしている被写体の表示手段による表示を明るくすることができる装置とすることができる。
【００３４】
こうした本発明の第４の撮影装置用のプログラムにおいて、前記撮影装置は広角および望遠を指示する広角望遠指示ボタンを備え、前記撮影実行手段は広角望遠指示ボタンの指示に基づいて被写体を広角および望遠して撮影する手段であり、更に、（ｃ）前記モード設定手段により撮影モードが設定されている状態で操作者による広角望遠指示ボタンの操作がなされたとき、該広角望遠指示ボタンの操作が継続している時間を少なくとも含む時間に亘って前記表示手段における表示の明るさが明るくなるよう該表示手段を制御するモジュールを備えるものとすることもできる。こうすれば、撮影装置を、広角望遠指示ボタンの操作だけで、その他の特別な操作なしに、被写体の表示手段による表示を明るくする
ことができる装置として機能させることができる。
【発明を実施するための最良の形態】
【００３５】
次に、本発明を実施するための最良の形態を実施例を用いて説明する。
【実施例１】
【００３６】
図１は本発明の第１実施例としてのデジタルカメラ２０の外観を例示する斜視図であり、図２は第１実施例のデジタルカメラ２０の背面を例示する背面図であり、図３は第１実施例のデジタルカメラ２０の機能ブロックを例示するブロック図である。
【００３７】
第１実施例のデジタルカメラ２０は、図１に示すように、正面には光学３倍ズームが可能なズーム機構付きレンズ２１と、点滅することによりセルフタイマーが作動中であることを表示するセルフタイマー点灯部２５とを備え、上部にはモードを選択するモードダイヤル２３と、このモードダイヤル２３の中央に配置された電源ボタン２２と、シャッターボタン２４とを備える。また、デジタルカメラ２０は、図２に示すように、背面３０には、中央の左寄りに配置された液晶ディスプレイ３１と、その右側に配置され上下左右の方向に操作可能な４方向ボタン３２と、背面３０の左上に配置された印刷ボタン３３と、ズーム機能を操作するＷボタン３４ａおよびＴボタン３４ｂと、４方向ボタン３２の左上に配置されたメニューボタン３５と、液晶ディスプレイ３１の下方の左右に配置されたＡボタン３６およびＢボタン３７と、４方向ボタン３２の下方左に配置され液晶ディスプレイ３１への表示を切り替えるディスプレーボタン３８と、その右方向に配置されたレビューボタン３９とを備える。
【００３８】
第１実施例のデジタルカメラ２０は、機能的には図３に例示するように、中央演算処理装置としてのＣＰＵ４０ａや処理プログラムを記憶するＲＯＭ４０ｂ，一時的にデータを記憶するワークメモリ４０ｃ，設定されたデータを不揮発的に記憶するフラッシュメモリ４０ｄなどを中心として構成されている。デジタルカメラ２０は、撮影系として、レンズや絞りなどにより構成された光学系４２や、この光学系４２により結像される光学像を光電変換して得られる電荷を受光セル毎に一定時間蓄積し受光セル毎の受光量に応じた電気信号を出力するイメージセンサ４３、このイメージセンサ４３を駆動するために必要な駆動パルスをイメージセンサ４３に出力する駆動回路としてのセンサコントローラ４４、イメージセンサ４３から出力される電気信号を量子化してディジタル信号に変換するアナログフロントエンド（ＡＦＥ）部４５、このＡＦＥ部４５から出力されたディジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すディジタル画像を出力するデジタル画像処理部４６、ディジタル画像の系列変換（離散コサイン変換やウェーブレット変換等）及びエントロピー符号化（ランレングス符号化やハフマン符号化等）を行なうことによりディジタル画像を圧縮しそれらの逆変換を施すことによりディジタル画像を伸張する圧縮伸張部４７などを備える。また、第１実施例のデジタルカメラ２０は、液晶ディスプレイ３１の一画面分のデータを格納するためのフレームバッファやフレームバッファに格納されたディジタル画像に基づいて液晶ディスプレイ３１を駆動するための表示回路を有するディスプレイコントローラ５０や液晶ディスプレイ３１の背後に取り付けられて液晶ディスプレイ３１に表示される画像を視認しやすくするよう背後から光を照射するバックライト３１ａにおける明るさを調節するバックライト用の電源回路５０ａ，モードダイヤル２３，シャッターボタン２４，Ｗボタン３４ａおよびＴボタン３４ｂ，４方向ボタン３２，各種ボタン３３，３５〜３９の入力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラ５６なども備えている。なお、デジタル画像処理部４６により画像処理された画像データや圧縮伸張部４７によ
り圧縮・伸張された画像データは、一旦ワークメモリ４０ｃに書き込まれ、その後、撮影順にＩＤとしてのファイル名が付与されて画像ファイルとして入出力インタフェース５２を介して記憶媒体５３に書き込まれる。
【００３９】
次に、こうして構成された第１実施例のデジタルカメラ２０の動作、特に液晶ディスプレイ３１の明るさをワンタッチでアップさせるワンタッチ輝度アップの動作について説明する。図４は、ワンタッチ輝度アップ設定処理の一例を示すフローチャートである。第１実施例のデジタルカメラ２０では、ワンタッチ輝度アップを行なうには、予めセットアップ処理の一つとしてワンタッチ輝度アップの設定をオンしておく必要がある。このワンタッチ輝度アップ設定処理は、その処理の手順を示すものである。ワンタッチ輝度アップ設定処理では、まず、操作者がモードダイヤル２３によりセットアップモードを選択することにより、セットアップメニューを液晶ディスプレイ３１に表示することから始まる（ステップＳ１００）。セットアップメニューでは、「ワンタッチ輝度アップ」の項目の他に、「液晶リセット」や「液晶明るさ」などの液晶ディスプレイ３１の設定に関する項目や「シャッター音」，「フォーカスロック音」，「セルフタイマー音」などの操作時の音の設定に関する項目，「節電設定」や「日時設定」，「言語設定」などの種々の設定に関する項目が表示される。ワンタッチ輝度アップの設定を行なう場合には、４方向ボタン３２を上下方向に操作してフォーカスフレームを「ワンタッチ輝度アップ」に合わせ（ステップＳ１１０）、４方向ボタン３２を左右方向に操作することにより「ＯＮ」や「ＯＦＦ」を選択することにより行なう（ステップＳ１２０）。第１実施例では、ワンタッチ輝度アップが「ＯＮ」となるよう４方向ボタン３２を操作すればよい。フォーカスフレームを「ワンタッチ輝度アップ」に合わせて「ＯＮ」設定している様子の一例を図５に示す。第１実施例のセットアップメニューでは、こうして「ワンタッチ輝度アップ」を設定した後に、フォーカスフレームを他の項目に合わせることにより、連続して他の項目についても設定することができる。他の項目の設定については本発明の中核をなさないから、セットアップに関するこれ以上の説明は省略する。なお、セットアップモードで設定された各種設定値は、フラッシュメモリ４０ｄの所定領域に格納される。
【００４０】
図６は、ワンタッチ輝度アップを行なうために操作者によりボタン操作が行なわれたときに実行されるボタン操作時処理の一例を示すフローチャートである。ワンタッチ輝度アップは、モードダイヤル２３により撮影モードが選択されているときにはこの撮影モードでは用いられていない印刷ボタン３３が操作されることにより行なわれ、モードダイヤル２３により撮影して記憶媒体５３に記憶した画像を再生する再生モードが選択されているときにはＢボタン３７が操作されることにより行なわれる。撮影モードの際の液晶ディスプレイ３１の表示の一例と周辺のボタンとを図７に、再生モードの際の液晶ディスプレイ３１の表示の一例と周辺のボタンとを図８に示す。撮影モードでは、図７に示すように、液晶ディスプレイ３１の全体に被写体の画像を表示し、これと共に液晶ディスプレイ３１の印刷ボタン３３の近傍の隅に「輝度アップ」を表示することにより、印刷ボタン３３の操作によりワンタッチ輝度アップが行なわれることを操作者に示す。なお、この撮影モードの状態でメニューボタン３５を操作すると撮影モード時のメニューが液晶ディスプレイ３１の上部に表示され、Ａボタン３６を操作するとマクロモードが設定されて液晶ディスプレイ３１にはマクロモードを示す花のマークが表示される。また、Ｂボタン３７を操作するとフラッシュの使用が設定されて液晶ディスプレイ３１にはフラッシュが使用されるのを示すマークが表示される。再生モードでは、図８に示すように、液晶ディスプレイ３１の全体に記憶媒体５３から読み出した画像を表示し、これと共に液晶ディスプレイ３１のＢボタン３７の近傍の隅に「輝度アップ」を表示することにより、Ｂボタン３７の操作によりワンタッチ輝度アップが行なわれることを操作者に示す。なお、この再生モードの状態で印刷ボタン３３を操作すると印刷処理が実行され、メニューボタン３５を操作すると再生モード時のメニューが液晶ディスプレイ３１の上部に表示される。Ａボタン３６を操作すると表示している画像を記憶媒体５３から削除する処理が実行される。
【００４１】
撮影モード時に印刷ボタン３３が操作されたり再生モード時にＢボタン３７が操作されると、まず、ワンタッチ輝度アップを実行しているか否かを示すフラグＦを入力する処理を実行する（ステップＳ２００）。このフラグＦは、このボタン操作時処理で液晶ディスプレイ３１の明るさを明るく設定してワンタッチ輝度アップを実行するときに値１が設定され、ワンタッチ輝度アップを終了するときに値０が設定される。いま、ワンタッチ輝度アップを実行するためにボタン操作したときを考えれば、フラグＦには値０が設定されている。フラグＦに値０が設定されているときには、バックライト３１ａにより液晶ディスプレイ３１の明るさが１段アップするようにバックライト用の電源回路５０ａを調整し（ステップＳ２２０）、所定時間（例えば０．２秒や０．３秒，０．５秒）経過するのを待って（ステップＳ２３０）、印刷ボタン３３やＢボタン３７が継続してボタン操作されているかを判定するためにそのボタン操作信号を入力する（ステップＳ２４０）。印刷ボタン３３やＢボタン３７が継続してボタン操作されている状態であるときには、ステップＳ２２０のバックライト３１ａにより液晶ディスプレイ３１の明るさが１段アップするようにバックライト用の電源回路５０ａを調整する処理に戻る。従って、印刷ボタン３３やＢボタン３７を継続して操作し続けることにより、所定時間経過する毎に液晶ディスプレイ３１の明るさを明るくすることができる。例えば、晴れた日に野外で撮影しようとした際に日光などの光の照射の具合によって液晶ディスプレイ３１に表示された被写体を視認しづらいときには、印刷ボタン３３を操作することにより、液晶ディスプレイ３１に表示された被写体が見やすくなる明るさまで液晶ディスプレイ３１の表示の明るさを調節することができるのである。従って、ステップＳ２３０の所定時間経過するのを待つ処理は、液晶ディスプレイ３１の明るさを段階的に明るくしていく際の早さを調節するものとなる。そして、印刷ボタン３３やＢボタン３７が継続してボタン操作されなくなると、フラグＦに値１を設定して（ステップＳ２６０）、ボタン操作時処理を終了する。これにより、印刷ボタン３３やＢボタン３７のボタン操作だけで液晶ディスプレイ３１の表示の明るさを明るくすることができる。
【００４２】
一方、こうした操作により液晶ディスプレイ３１の明るさを明るくした状態（ワンタッチ輝度アップを実行している状態）で印刷ボタン３３やＢボタン３７が再び操作されると、フラグＦには値１が設定されているから、セットアップメニューの「液晶明るさ」の項目で予め設定されている設定値をフラッシュメモリ４０ｄの所定領域から読み込み（ステップＳ２７０）、液晶ディスプレイ３１の明るさが読み込んだ設定値の明るさとなるようバックライト用の電源回路５０ａを調整し（ステップＳ２８０）、フラグＦに値０を設定して（ステップＳ２９０）、ボタン操作時処理を終了する。
【００４３】
以上説明した第１実施例のデジタルカメラ２０によれば、撮影モード時には印刷ボタン３３を再生モード時にはＢボタン３７を操作するだけで液晶ディスプレイ３１の明るさを明るくしたり、その明るさを元に戻すことができる。しかも、印刷ボタン３３やＢボタン３７を操作し続けることにより液晶ディスプレイ３１の明るさを段階的に明るくさせることができる。従って、操作者にとって必要なときにだけ液晶ディスプレイ３１の明るさを容易に所望の明るさにすることができる。この結果、常に液晶ディスプレイ３１の明るさを明るくしておくものに比して消費電力を少なくすることができる。
【００４４】
第１実施例のデジタルカメラ２０では、記憶媒体５３が記憶手段に相当し、液晶ディスプレイ３１が表示手段に相当し、ＣＰＵ４０ａやＲＯＭ４０ｂ，ワークメモリ４０ｃ，光学系４２，イメージセンサ４３，センサコントローラ４４，ＡＦＥ部４５，デジタル画像処理部４６，圧縮伸張部４７などが撮影実行手段に相当し、図６に例示するボタン操作時処理を実行するＣＰＵ４０ａが明表示制御手段に相当する。
【実施例２】
【００４５】
次に、第２実施例のデジタルカメラ２０Ｂについて説明する。第２実施例のデジタルカメラ２０Ｂは、図１ないし図３に例示する第１実施例のデジタルカメラ２０と同一のハード構成をしている。従って、第２実施例のデジタルカメラ２０Ｂのハード構成については、第１実施例のデジタルカメラ２０のハード構成と同一の符号を付し、その説明は省略する。また、第２実施例のデジタルカメラ２０Ｂは、基本的な動作については第１実施例のデジタルカメラ２０と同様に動作する。第２実施例のデジタルカメラ２０Ｂでは、図９のワンタッチ輝度アップ設定処理を図４の処理に代えて実行する。ここで図９のワンタッチ輝度アップ設定処理のステップＳ３００〜Ｓ３２０の処理は図４の処理のステップＳ１００〜Ｓ１２０の処理と同一である。第２実施例のデジタルカメラ２０のセットアップメニューには、ワンタッチ輝度アップ時の液晶ディスプレイ３１の明るさを調節する「ワンタッチ液晶明るさ」の項目が設けられており、４方向ボタン３２を上下方向に操作することによってフォーカスフレームを「ワンタッチ液晶明るさ」に合わせて選択し（ステップＳ３３０）、この状態で４方向ボタン３２を左右方向に操作することによってワンタッチ輝度アップ時の液晶ディスプレイ３１の明るさを設定することができるようになっている（ステップＳ３４０）。こうして設定したワンタッチ液晶明るさの設定値は、セットアップモードで設定された他の設定値と共にフラッシュメモリ４０ｄの所定領域に格納される。図１０にフォーカスフレームを「ワンタッチ液晶明るさ」に合わせてワンタッチ輝度アップが実行されたときの液晶ディスプレイ３１の明るさを設定している様子の一例を示す。図１０の例では、ワンタッチ輝度アップ時の液晶ディスプレイ３１の明るさの程度を棒グラフとして示している。
【００４６】
図１１は、ワンタッチ輝度アップを行なうために操作者によりボタン操作が行なわれたときに実行されるボタン操作時処理の一例を示すフローチャートである。第２実施例のデジタルカメラ２０Ｂでも、第１実施例のデジタルカメラ２０と同様に、ワンタッチ輝度アップは、モードダイヤル２３により撮影モードが選択されているときには印刷ボタン３３が操作されることにより行なわれ、モードダイヤル２３により再生モードが選択されているときにはＢボタン３７が操作されることにより行なわれる。
【００４７】
撮影モード時に印刷ボタン３３が操作されたり再生モード時にＢボタン３７が操作されると、まず、ワンタッチ輝度アップを実行しているか否かを示すフラグＦを入力する（ステップＳ４００）。フラグＦが値０のときには、セットアップメニューの「ワンタッチ液晶明るさ」の項目で予め設定されている設定値をフラッシュメモリ４０ｄの所定領域から読み込み（ステップＳ４２０）、フラグＦに値１を設定し（ステップＳ４３０）、液晶ディスプレイ３１の明るさが読み込んだ設定値の明るさとなるようバックライト用の電源回路５０ａを調整して（ステップＳ４６０）、ボタン操作時処理を終了する。これにより、印刷ボタン３３やＢボタン３７のボタン操作だけで液晶ディスプレイ３１の明るさをセットアップメニューの「ワンタッチ液晶明るさ」の項目で設定した明るさにすることができる。
【００４８】
一方、ワンタッチ輝度アップを実行している状態で印刷ボタン３３やＢボタン３７が再び操作されると、フラグＦには値１が設定されているから、セットアップメニューの「液晶明るさ」の項目で予め設定されている設定値をフラッシュメモリ４０ｄの所定領域から読み込み（ステップＳ４４０）、フラグＦに値０を設定し（ステップＳ４５０）、液晶ディスプレイ３１の明るさが読み込んだ設定値の明るさとなるようバックライト用の電源回路５０ａを調整して（ステップＳ４６０）、ボタン操作時処理を終了する。
【００４９】
以上説明した第２実施例のデジタルカメラ２０Ｂによれば、撮影モード時には印刷ボタン３３を再生モード時にはＢボタン３７を操作するだけで液晶ディスプレイ３１の明るさを明るくしたり、その明るさを元に戻すことができる。しかも、ワンタッチ輝度アップの際の液晶ディスプレイ３１の明るさをセットアップメニューの「ワンタッチ液晶明るさ」
の項目により設定しておくから、第１実施例のデジタルカメラ２０のように印刷ボタン３３やＢボタン３７のボタン操作を継続させることなしに液晶ディスプレイ３１の明るさを明るくすることができる。従って、操作者にとって必要なときにだけ液晶ディスプレイ３１の明るさを容易に所望の明るさにすることができる。
【００５０】
第１実施例や第２実施例のデジタルカメラ２０，２０Ｂでは、撮影モード時には印刷ボタン３３を再生モード時にはＢボタン３７を操作することによりワンタッチ輝度アップを実行したり、実行しているワンタッチ輝度アップを解除するものとしたが、印刷ボタン３３やＢボタン３７の他にワンタッチ輝度アップを実行したり解除するための専用ボタンを設け、撮影モードであっても再生モードであっても専用ボタンの操作に基づいてワンタッチ輝度アップを実行したり解除するものとしてもよい。
【実施例３】
【００５１】
次に、第３実施例のデジタルカメラ２０Ｃについて説明する。第３実施例のデジタルカメラ２０Ｂは、シャッターボタン２４にタッチセンサが取り付けられている点を除いて図１ないし図３に例示する第１実施例のデジタルカメラ２０と同一のハード構成をしている。従って、第３実施例のデジタルカメラ２０Ｃのハード構成については、第１実施例のデジタルカメラ２０のハード構成と同一の符号を付し、その説明は省略する。また、第３実施例のデジタルカメラ２０Ｃでは、第２実施例のデジタルカメラ２０Ｂと同様に図９に例示するワンタッチ輝度アップ設定処理を実行してワンタッチ輝度アップの際の液晶ディスプレイ３１の明るさを設定する。
【００５２】
第３実施例のデジタルカメラ２０Ｃでは、ワンタッチ輝度アップは、モードダイヤル２３により撮影モードが設定されているときには操作者がシャッターボタン２４にタッチしたときやＷボタン３４ａおよびＴボタン３４ｂを操作したときに実行され、モードダイヤル２３により再生モードが設定されたときにはＢボタン３７が操作されたときに実行される。図１２は、撮影モード時に操作者がシャッターボタン２４にタッチしたのをタッチセンサによって検知したときにＣＰＵ４０ａにより実行されるシャッターボタンタッチ時処理の一例を示すフローチャートである。シャッターボタンタッチ時処理が実行されると、ＣＰＵ４０は、まず、セットアップメニューの「ワンタッチ液晶明るさ」の項目で予め設定されている設定値をフラッシュメモリ４０ｄの所定領域から読み込み（ステップＳ５００）、液晶ディスプレイ３１の明るさが読み込んだ設定値の明るさとなるようバックライト用の電源回路５０ａを調整する処理を実行する（ステップＳ５１０）。次にシャッターボタン２４のタッチセンサからタッチ信号を入力し（ステップＳ５２０）、操作者によるシャッターボタン２４のタッチの継続が終了するのを待つ（ステップＳ５３０）。操作者によるシャッターボタン２４のタッチが終了すると、操作者によるシャッターボタン２４のタッチがない状態で所定時間経過するのを待って（ステップＳ５４０）、セットアップメニューの「ワンタッチ液晶明るさ」の項目で予め設定されている設定値をフラッシュメモリ４０ｄの所定領域から読み込み（ステップＳ５５０）、液晶ディスプレイ３１の明るさが読み込んだ設定値の明るさとなるようバックライト用の電源回路５０ａを調整して（ステップＳ５６０）、シャッターボタンタッチ時処理を終了する。ここで、操作者によるシャッターボタン２４のタッチがない状態で所定時間経過するのを待つのは、撮影後に撮影した画像を液晶ディスプレイ３１に表示するときにも液晶ディスプレイ３１の明るさが明るく保たれるようにするためである。こうしたシャッターボタンタッチ時処理により、操作者がシャッターボタン２４にタッチしたときに液晶ディスプレイ３１の明るさを明るくし、操作者によるシャッターボタン２４のタッチが終了して所定時間経過したときに液晶ディスプレイ３１の明るさを元に戻すことができる。
【００５３】
図１３は、撮影モード時にＷボタン３４ａおよびＴボタン３４ｂが操作されたときや再生モード時にＢボタン３７が操作されたときにＣＰＵ４０により実行されるボタン操作時
処理の一例を示すフローチャートである。この処理は、シャッターボタン２４のタッチセンサの信号に代えてＷボタン３４ａおよびＴボタン３４ｂやＢボタン３７のボタン操作を用いた点を除いて図１２のシャッターボタンタッチ時処理と同一である。即ち、第３実施例のデジタルカメラ２０Ｃでは、撮影モード時にはＷボタン３４ａおよびＴボタン３４ｂを操作したときからボタン操作を終了して所定時間経過するまで液晶ディスプレイ３１の明るさをセットアップメニューの「ワンタッチ液晶明るさ」の項目で設定した明るさとし、再生モード時にはＢボタン３７を操作したときからボタン操作を終了して所定時間経過するまで液晶ディスプレイ３１の明るさをセットアップメニューの「ワンタッチ液晶明るさ」の項目で設定した明るさとするのである。
【００５４】
以上説明した第３実施例のデジタルカメラ２０Ｃによれば、撮影モード時には操作者がシャッターボタン２４にタッチしたときに液晶ディスプレイ３１の明るさを明るくし、操作者によるシャッターボタン２４のタッチが終了して所定時間経過したときに液晶ディスプレイ３１の明るさを元に戻すことができる。また、撮影モード時には操作者がＷボタン３４ａおよびＴボタン３４ｂを操作したときに液晶ディスプレイ３１の明るさを明るくし、操作者によるＷボタン３４ａおよびＴボタン３４ｂの操作が終了して所定時間経過したときに液晶ディスプレイ３１の明るさを元に戻すことができる。さらに、再生モード時には操作者がＢボタン３７を操作したときに液晶ディスプレイ３１の明るさを明るくし、操作者によるＢボタン３７の操作が終了して所定時間経過したときに液晶ディスプレイ３１の明るさを元に戻すことができる。これらの結果、必要なときにだけ液晶ディスプレイ３１の明るさを明るくし、不必要になったときに自動的に液晶ディスプレイ３１の明るさを元に戻すことができる。
【００５５】
第３実施例のデジタルカメラ２０Ｃでは、再生モード時にはＢボタン３７を操作することによりワンタッチ輝度アップを実行するものとしたが、Ｂボタン３７の他にワンタッチ輝度アップを実行するための専用ボタンを設け、専用ボタンの操作に基づいてワンタッチ輝度アップを実行するものとしてもよい。
【００５６】
第３実施例のデジタルカメラ２０Ｃでは、撮影モード時の操作者のシャッターボタン２４へのタッチによるワンタッチ輝度アップと、撮影モード時の操作者のＷボタン３４ａおよびＴボタン３４ｂへの操作によるワンタッチ輝度アップと、再生モード時の操作者のＢボタン３７への操作によるワンタッチ輝度アップとを実行するものとしたが、これら３つのワンタッチ輝度アップのいずれか二つまたは一つだけを実行するものしてもよい。また、操作者の他のボタンへの操作やタッチによるワンタッチ輝度アップを実行するものとしてもよい。
【００５７】
上述の各実施例では、バックライト３１ａの明るさを明るくすることにより、液晶ディスプレイ３１の表示の明るさを明るくするものとしたが、これに加えて、バックライト３１ａの明るさを明るくするのに同期して表示画像のコントラストをアップさせるものとしてもよい。こうすれば、表示画像をより鮮明なものとして液晶ディスプレイ３１の明るさを明るくすることができる。
【００５８】
実施例では、ワンタッチ輝度アップを行なう本発明の内容をデジタルカメラ２０として説明したが、デジタルカメラ２０における制御方法の形態としたり、デジタルカメラ２０にインストールされて用いられるプログラムの形態としてもよい。プログラムの形態とする場合、図４や図９に例示したワンタッチ輝度アップ設定処理や図６や図１１に例示したボタン操作時処理，図１２に例示したシャッターボタンタッチ時処理，図１３に例示したボタン操作時処理の各ステップを各手順として適当なプログラミング言語を用いてプログラムすればよい。
【００５９】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００６０】
本発明は、撮影装置製造業に利用可能である。
【図面の簡単な説明】
【００６１】
【図１】第１実施例のデジタルカメラ２０の外観を例示する斜視図。
【図２】第１実施例のデジタルカメラ２０の背面を例示する背面図。
【図３】第１実施例のデジタルカメラ２０の機能ブロックを例示するブロック図。
【図４】第１実施例のワンタッチ輝度アップ設定処理を示すフローチャート。
【図５】ワンタッチ輝度アップ設定の際の液晶ディスプレイ３１を示す説明図。
【図６】第１実施例のボタン操作時処理の一例を示すフローチャート。
【図７】撮影モードの際の液晶ディスプレイ３１の表示を示す説明図。
【図８】再生モードの際の液晶ディスプレイ３１の表示を示す説明図。
【図９】第２実施例のワンタッチ輝度アップ設定処理を示すフローチャート。
【図１０】ワンタッチ輝度アップ設定の際の液晶ディスプレイ３１を示す説明図。
【図１１】第２実施例のボタン操作時処理の一例を示すフローチャート。
【図１２】シャッターボタンタッチ時処理の一例を示すフローチャート。
【図１３】第３実施例のボタン操作時処理の一例を示すフローチャート。
【符号の説明】
【００６２】
２０，２０Ｂ，２０Ｃ  デジタルカメラ、２１  ズーム機構付きレンズ、２２  電源ボタン、２３  モードダイヤル、２４  シャッターボタン、２５  セルフタイマー点灯部、３０  背面、３１  液晶ディスプレイ、３１ａ  バックライト、３２  ４方向ボタン、３３  印刷ボタン、３４ａ  Ｗボタン、３４ｂ  Ｔボタン、３５  メニューボタン、３６  Ａボタン、３７  Ｂボタン、３８  ディスプレーボタン、３９  レビューボタン、４０ａ  ＣＰＵ、４０ｂ  ＲＯＭ、４０ｃ  ワークメモリ、４０ｄ  フラッシュメモリ、４２  光学系、４３  イメージセンサ、４４  センサコントローラ、４５  アナログフロントエンド（ＡＦＥ）部、４６  デジタル画像処理部、４７  圧縮伸張部、５０  ディスプレイコントローラ、５０ａ  バックライト用の電源回路、５２  入出力インタフェース、５３  記憶媒体、５４  ＵＳＢホストコントローラ、５５  ＵＳＢ接続端子、５６  ＵＳＢデバイスコントローラ。
【図１】
2007259502.tif 000003
【図２】
2007259502.tif 000004
【図３】
2007259502.tif 000005
【図４】
2007259502.tif 000006
【図５】
2007259502.tif 000007
【図６】
2007259502.tif 000008
【図７】
2007259502.tif 000009
【図８】
2007259502.tif 000010
【図９】
2007259502.tif 000011
【図１０】
2007259502.tif 000012
【図１１】
2007259502.tif 000013
【図１２】
2007259502.tif 000014
【図１３】
2007259502.tif 000015
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
画像を撮影する撮影装置であって、
撮影した画像を記憶可能な記憶手段と、
画像を表示可能であり複数段階に表示の明るさを変更可能な表示手段と、
操作者による操作に基づいて画像を撮影すると共に該撮影した画像を前記記憶手段に記憶させる撮影実行手段と、
操作者による所定ボタンの操作がなされたとき、前記表示手段における表示の明るさを、前記所定ボタンの操作時間が長いほど明るくする明表示を実行し、前記明表示を実行している最中に前記所定ボタンの操作がなされたとき、該明表示を停止する明表示制御手段と、
を備える撮影装置。
【請求項２】
前記明表示制御手段による明表示を実行するか否かを設定する明表示実行設定手段を備える請求項１に記載の撮影装置。
【請求項３】
前記撮影装置はデジタルカメラである請求項１又は２に記載の撮影装置。
【請求項４】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
（ａ）操作者による所定ボタンの操作がなされたときに前記表示手段における表示の明るさが、前記所定ボタンの操作時間が長いほど明るい明表示となるよう該表示手段を制御し、
（ｂ）前記明表示となるよう前記表示手段を制御している最中に前記所定ボタンの操作がなされたときに該明表示を停止するよう前記表示手段を制御する
撮影装置の制御方法。
【請求項５】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）操作者による所定ボタンの操作がなされたときに前記表示手段における表示の明るさが、前記所定ボタンの操作時間が長いほど明るい明表示となるよう該表示手段を制御するモジュールと、
（ｂ）前記明表示となるよう前記表示手段を制御している最中に前記所定ボタンの操作がなされたときに該明表示を停止するよう前記表示手段を制御するモジュールと
を備えるプログラム。